(57)【要約】  ディスプレイ装置及びディスプレイ装置のモーション認識方法を提供すること。さらに詳細には、部分モーション認識モードをディスプレイするためにアクティブ領域においてのみ解除モーションを認識できるディスプレイ装置及びそのモーション認識方法を提供する。実施の形態のうちの一部によれば、部分領域モーション認識モードのアクティブ領域で認識されたモーションと部分領域モーション認識モードを解除するための解除モーションとが同じである場合、部分領域モーション認識モードを全領域モーション認識モードに変更するディスプレイ装置及びその方法が提供される。
2016540322.tif 000002
【特許請求の範囲】
【請求項１】
ディスプレイ装置のモーション認識方法であって、
外部から入力されるモーションの認識可能なアクティブ領域をディスプレイ装置の画面に設定するステップと、
前記ディスプレイ装置の全領域モーション認識モードを部分領域モーション認識モードに変更するステップと、
前記アクティブ領域でモーションを認識するステップと、
前記認識されたモーションが前記部分領域モーション認識モードを解除する解除モーションである場合、前記部分領域モーション認識モードを解除するステップと、を含み、
前記部分領域モーション認識モードは、前記アクティブ領域においてのみモーションを認識するモードであるディスプレイ装置のモーション認識方法。
【請求項２】
前記アクティブ領域は、遠隔調整装置、音声認識、モーション認識及びパネルキーのうち、少なくとも一つにより設定される請求項１に記載のディスプレイ装置のモーション認識方法。
【請求項３】
前記アクティブ領域の位置、大きさ及び形状のうちの何れか一つは、前記画面に表示されるアクティブ領域設定テンプレートにより設定される請求項１に記載のディスプレイ装置のモーション認識方法。
【請求項４】
前記アクティブ領域は、カメラユニットを介して入力されるユーザの身体の一部分の面積より広い面積を有するよう自動的に設定される請求項１に記載のディスプレイ装置のモーション認識方法。
【請求項５】
前記アクティブ領域の自動設定のためのユーザの身体の一部分に対応するユーザ身体情報を格納するステップをさらに含む請求項４に記載のディスプレイ装置のモーション認識方法。
【請求項６】
前記アクティブ領域の面積は、前記画面の面積より狭い請求項１に記載のディスプレイ装置のモーション認識方法。
【請求項７】
前記ディスプレイ装置に最初電源供給される場合、前記アクティブ領域設定のためのアクティブ領域設定画面を自動的に表示するステップをさらに含む請求項１に記載のディスプレイ装置のモーション認識方法。
【請求項８】
前記解除モーションを設定するステップをさらに含み、
前記解除モーションは、カメラユニットを利用して前記アクティブ領域内で設定される解除モーション、及び前記カメラユニットの認識範囲内で設定される解除モーションのうちの何れか一つを含む請求項１に記載のディスプレイ装置のモーション認識方法。
【請求項９】
前記アクティブ領域の面積は、認識された前記解除モーションの認識領域の面積より広い請求項１に記載のディスプレイ装置のモーション認識方法。
【請求項１０】
前記部分領域モーション認識モードに変更するステップは、
前記全領域モーション認識モードから前記部分領域モーション認識モードへの変更に応答して、前記画面の一側に前記部分領域モーション認識モードに対応するオブジェクトを表示するステップを含む請求項１に記載のディスプレイ装置のモーション認識方法。
【請求項１１】
前記部分領域モーション認識モードに変更するステップは、
前記全領域モーション認識モードから前記部分領域モーション認識モードへの変更に応答して、前記画面から区別されるように透明度を有する前記アクティブ領域を表示するステップを含む請求項１に記載のディスプレイ装置のモーション認識方法。
【請求項１２】
前記部分領域モーション認識モードに変更するステップは、
前記全領域モーション認識モードから前記部分領域モーション認識モードへの変更に応答して、視覚フィードバック及び聴覚フィードバックのうち、少なくとも一つを提供するステップを含む請求項１に記載のディスプレイ装置のモーション認識方法。
【請求項１３】
前記アクティブ領域は、カメラユニットを介して受信される前記解除モーションを認識する前記画面内の相対的な領域である請求項１に記載のディスプレイ装置のモーション認識方法。
【請求項１４】
前記認識されたモーションが前記解除モーションと異なる場合、前記部分領域モーション認識モードを維持するステップをさらに含む請求項１に記載のディスプレイ装置のモーション認識方法。
【請求項１５】
前記部分領域モーション認識モードを維持するステップは、
前記認識されたモーションが前記解除モーションと異なる場合、前記画面に前記部分領域モーション認識モードの維持に対応するポップアップウィンドウを表示するステップを含む請求項１４に記載のディスプレイ装置のモーション認識方法。
【発明の詳細な説明】
【技術分野】
【０００１】
下記の実施の形態は、ディスプレイ装置及びディスプレイ装置のモーション認識方法に関し、さらに詳細には、部分領域モーション認識モードでアクティブ領域においてのみモーション認識が可能なディスプレイ装置及びディスプレイ装置のモーション認識方法に関する。
【背景技術】
【０００２】
ディスプレイ装置とユーザとの間のインタフェース方法としてディスプレイ装置のパネルキーを利用したり、遠隔調整装置であるリモコンを多く利用する。技術の発展に伴いディスプレイ装置の機能は、複雑かつ多様になって、コンテンツを実行するか、またはインターネットブラウジングも可能になった。リモコンの大きさまたは機能の制限により、ますます複雑でかつ多様化するディスプレイ装置のすべての機能を遠隔で制御することは容易でない。
【０００３】
ユーザは、モーションを取り、モーションを受信したディスプレイ装置は、モーション認識により制御されることができる。また、ユーザは、命令語を言い、命令語を受信したディスプレイ装置は、音声認識により制御されることができる。
【０００４】
モーション認識が可能なディスプレイ装置は、ユーザの意図と無関係にカメラユニットを介して入力されるモーション（例えば、水を飲むために手を動く場合）を認識して誤動作（ｆａｌｓｅ  ｏｐｅｒａｔｉｏｎ）を発生させる場合もある。また、ユーザが多数である場合、モーション認識による誤動作が発生する可能性は、ユーザが一人である時と比較してより大きくなることができる。
【発明の概要】
【発明が解決しようとする課題】
【０００５】
本発明は、上述した必要性によって案出されたものであって、本発明の目的は、ディスプレイ装置及びディスプレイ装置のモーション認識方法を提供することにある。
【課題を解決するための手段】
【０００６】
本発明の一実施の形態によってディスプレイ装置のモーション認識方法が提供される。前記方法は、外部から入力されるモーションの認識可能なアクティブ領域をディスプレイ装置の画面に設定するステップと、前記ディスプレイ装置の全領域モーション認識モードを部分領域モーション認識モードに変更するステップと、前記アクティブ領域でモーションを認識するステップと、前記認識されたモーションが前記部分領域モーション認識モードを解除する解除モーションである場合、前記部分領域モーション認識モードを解除するステップと、を含み、前記部分領域モーション認識モードは、前記アクティブ領域においてのみモーションを認識するモードである。
【０００７】
前記アクティブ領域は、カメラユニットを介して入力される解除モーションを認識する前記画面内の相対的な領域でありうる。
【０００８】
本発明の他の仕事実施の形態によってディスプレイ装置のモーション認識方法が提供される。前記方法は、ディスプレイ装置の全領域モーション認識モードを部分領域モーション認識モードに変更するステップと、前記部分領域モーション認識モードで設定されたアクティブ領域においてのみ入力される外部のモーションを認識するステップと、前記認識されたモーションと格納された前記部分領域モーション認識モードの解除に対応する解除モーションとが同じである場合、前記部分領域モーション認識モードを前記全領域モーション認識モードに変更するステップとを含み、前記アクティブ領域は、前記ディスプレイ装置の外部からカメラユニットを介して入力される前記モーションを認識する前記ディスプレイ装置の画面内の相対的な領域である。
【０００９】
本発明のさらに他の実施の形態によってディスプレイ装置のモーション認識方法が提供される。前記方法は、ディスプレイ装置の画面で外部から入力されるモーションの認識が可能なアクティブ領域を設定するステップと、前記ディスプレイ装置の全領域モーション認識モードを部分領域モーション認識モードに変更するステップと、前記アクティブ領域で第１モーションを認識するステップと、前記第１モーションが解除モーションである場合、前記部分領域モーション認識モードを維持する第２部分領域モーション認識モードに変更するステップと、第２部分領域モーション認識モードであるアクティブ領域で第２モーションを認識するステップとを含み、前記部分領域モーション認識モードは、前記第１モーションが解除モーションである場合、部分領域モーション認識モードを解除する第１部分領域モーション認識モード及び部分領域モーション認識モードを維持する第２部分領域モーション認識モードを含む。
【００１０】
本発明のさらに他の一実施の形態によってディスプレイ装置のモーション認識方法が提供される。前記方法は、ディスプレイ装置の全領域モーション認識モードを部分領域モーション認識モードに変更するステップと、前記部分領域モーション認識モードで予め設定されたアクティブ領域においてのみ外部から入力されるモーションを認識するステップとを含む。
【００１１】
前記アクティブ領域は、ユーザにより設定されることができる。
【００１２】
本発明のさらに他の実施の形態によってディスプレイ装置が提供される。前記ディスプレイ装置は、映像を表示する画面、外部モーションを受信するカメラユニット、前記画面及び前記カメラユニットを制御する制御部を備え、前記制御部は、部分領域モーション認識モードのアクティブ領域で前記カメラユニットを介して入力されたモーションが前記部分領域モーション認識モードを解除する解除モーションと同じである場合、前記部分領域モーション認識モードを全領域モーション認識モードに変更するように制御する。
【００１３】
本発明のさらに他の実施の形態によってディスプレイ装置が提供される。前記ディスプレイ装置は、映像を表示するディスプレイユニット、外部モーションを受信するカメラユニット、及び前記ディスプレイユニット及び前記カメラユニットを制御する制御部を備え、前記制御部は、前記カメラユニットを利用して部分領域モーション認識モードのアクティブ領域においてのみ受信されるユーザモーションを認識し、認識された前記ユーザモーションに対応するユーザモーション認識結果を前記ディスプレイユニットに表示するように制御する。
【発明の効果】
【００１４】
アクティブ領域においてのみモーション認識が可能なディスプレイ装置及びディスプレイ装置のモーション認識方法が提供されることができる。
【００１５】
アクティブ領域においてのみ解除モーションの認識が可能なディスプレイ装置及びディスプレイ装置のモーション認識方法が提供されることができる。
【００１６】
アクティブ領域でモーション認識が可能な部分領域モーション認識モード及びカメラユニットの認識範囲でモーション認識が可能な全領域モーション認識モードを有するディスプレイ装置及びディスプレイ装置のモーション認識方法が提供されることができる。
【００１７】
カメラユニットを介して入力されるユーザの身体の一部分またはアクティブ領域設定テンプレートを利用して、アクティブ領域を設定可能なディスプレイ装置及びディスプレイ装置のモーション認識方法が提供されることができる。
【００１８】
アクティブ領域で認識される解除モーションを設定可能なディスプレイ装置及びディスプレイ装置のモーション認識方法が提供されることができる。
【００１９】
アクティブ領域で認識されたモーションが解除モーションと同じである場合、部分領域モーション認識モードを解除するディスプレイ装置、及びディスプレイ装置のモーション認識方法が提供されることができる。
【００２０】
アクティブ領域で認識されたモーションが第１解除モーションと同じである場合、部分領域モーション認識モードを維持するディスプレイ装置、及びディスプレイ装置のモーション認識方法が提供されることができる。
【００２１】
アクティブ領域で認識されたモーションが第１解除モーションと同じである場合、部分領域モーション認識モードを維持しアクティブ領域で他のモーションの認識が可能なディスプレイ装置及びディスプレイ装置のモーション認識方法が提供されることができる。
【００２２】
これに限定されずに、本発明の多様な実施の形態によれば、アクティブ領域で認識されたモーションを利用した部分領域モーション認識モードの解除または部分領域モーション認識モードを維持できるディスプレイ装置、及びディスプレイ装置のモーション認識方法が提供されることができる。
【図面の簡単な説明】
【００２３】
前記本発明の多様な側面は、以下の添付された図面を参照してさらに詳細に説明されることによって、さらに明確になるはずである。
【図１】本発明の実施の形態に係るディスプレイ装置を示す概略的な正面図である。
【図２】本発明の実施の形態に係るディスプレイ装置を示す概略的なブロック図である。
【図３】本発明の実施の形態に係るディスプレイ装置のモーション認識方法を示す概略的なフローチャートである。
【図４Ａ】本発明の実施の形態に係るディスプレイ装置のモーション認識方法の例を示す図である。
【図４Ｂ】本発明の実施の形態に係るディスプレイ装置のモーション認識方法の例を示す図である。
【図４Ｃ】本発明の実施の形態に係るディスプレイ装置のモーション認識方法の例を示す図である。
【図４Ｄ】本発明の実施の形態に係るディスプレイ装置のモーション認識方法の例を示す図である。
【図４Ｅ】本発明の実施の形態に係るディスプレイ装置のモーション認識方法の例を示す図である。
【図５Ａ】本発明の実施の形態に係るディスプレイ装置のモーション認識方法の例を示す図である。
【図５Ｂ】本発明の実施の形態に係るディスプレイ装置のモーション認識方法の例を示す図である。
【図５Ｃ】本発明の実施の形態に係るディスプレイ装置のモーション認識方法の例を示す図である。
【図５Ｄ】本発明の実施の形態に係るディスプレイ装置のモーション認識方法の例を示す図である。
【図６Ａ】本発明の実施の形態に係るディスプレイ装置のモーション認識方法の例を示す図である。
【図６Ｂ】本発明の実施の形態に係るディスプレイ装置のモーション認識方法の例を示す図である。
【図７Ａ】本発明の実施の形態に係るディスプレイ装置のモーション認識方法の例を示す図である。
【図７Ｂ】本発明の実施の形態に係るディスプレイ装置のモーション認識方法の例を示す図である。
【図７Ｃ】本発明の実施の形態に係るディスプレイ装置のモーション認識方法の例を示す図である。
【図７Ｄ】本発明の実施の形態に係るディスプレイ装置のモーション認識方法の例を示す図である。
【図７Ｅ】本発明の実施の形態に係るディスプレイ装置のモーション認識方法の例を示す図である。
【図７Ｆ】本発明の実施の形態に係るディスプレイ装置のモーション認識方法の例を示す図である。
【図７Ｇ】本発明の実施の形態に係るディスプレイ装置のモーション認識方法の例を示す図である。
【発明を実施するための最良の形態】
【００２４】
以下、添付された図面に記載された内容を参照して、本発明に係る例示的実施の形態を詳細に説明する。また、添付された図面に記載された内容を参照して、本発明を製造し使用する方法を詳細に説明する。各図に示された同じ参照番号または符号は、実質的に同じ機能を行う部品または構成要素を示す。
【００２５】
第１、第２などの序数を含む用語が多様な構成要素を説明するのに利用されることができるが、このような構成要素らは、このような用語らにより制限されない。このような用語は、一構成要素を他の構成要素から区別するために利用されるだけである。例えば、本発明の範囲から逸脱せずに、第１構成要素が第２構成要素と呼ばれても良く、同様に、第２構成要素が第１構成要素と呼ばれても良い。「及び／または」という用語は、複数の関連した記載の項目の組み合わせまたは複数の関連した項目のうちの何れか一つの項目を含む。
【００２６】
本発明の説明において用いられる用語は、ただ特定実施の形態を説明するためのものであり、発明を制限するように意図されたものではない。単数の表現は、文脈上明白に異なるように表現されない限り、複数の形態を含むように意図されたものである。本出願において「含む」または「有する」などの用語は、明細書上に記載された特徴、数字、段階、動作、構成要素、部品またはこれらを組み合わせたものが存在することを指定するためであり、一つまたはそれ以上の他の特徴、数字、段階、動作、構成要素、部品またはこれらを組み合わせたものの存在または付加可能性を予め排除しないものとして理解されなければならない。各図に提示された同じ参照符号は、実質的に同じ機能を行う部材を示す。
【００２７】
図１は、本発明の実施の形態にかかるディスプレイ装置を示す概略的な正面図である。
【００２８】
図１に示すように、ディスプレイ装置１００は、本体１０及び本体１０を支持するスタンド５０を備える。また、ディスプレイ装置１００は、スタンド５０なしで本体１０だけを備えても良い。
【００２９】
本体１０は、停止したイメージである画像（ｉｍａｇｅ）またはイメージの連続的な集合体である映像（ｖｉｄｅｏ）を表示するディスプレイパネル１１を含むディスプレイユニット１７０（図２参照）、ディスプレイパネル１１を支持する前面カバー（ｆｒｏｎｔ  ｃｏｖｅｒ）１２及び後面カバー（ｂａｃｋ  ｃｏｖｅｒ）１３を備える。ディスプレイパネル１１は、画面とも呼ぶ。
【００３０】
前面カバー１２は、外部（例えば、遠隔調整装置（ｒｅｍｏｔｅ  ｃｏｎｔｒｏｌｌｅｒ）２００から光（例えば、紫外線、可視光線または赤外線）を受信する光窓（ｌｉｇｈｔ  ｗｉｎｄｏｗ）１２ａを含むことができる。また、光窓１２ａは、ディスプレイ装置１００の内部から入力される光（例えば、発光素子から発光）をディスプレイ装置１００の外部に出力できる。後面カバー１３は、スタンド５０に接続されることができる。後面カバー１３は、後面カバー１３の一側に電源キー１４ａ、音量キー１４ｂ及びチャネルキー１４ｃを有するパネルキー１４を含むことができる。パネルキー１４は、ＴＶ／外部入力キー（図示せず）またはメニューキー（図示せず）を含むことができる。
【００３１】
ディスプレイ装置１００は、光窓１２ａを介して受信された光を分析して、ディスプレイ装置１００の動作を制御できる。
【００３２】
ディスプレイ装置１００は、カメラユニット１４５を介して受信された映像信号（例えば、連続するフレーム）を分析して、ディスプレイ装置１００の動作を制御できる。
【００３３】
ディスプレイ装置１００は、スピーカー１７６の後面に位置するマイクユニット１４０（図２を参照）を介して受信されたユーザの音声を分析して、ディスプレイ装置１００の動作を制御できる。
【００３４】
例えば、ディスプレイ装置１００は、受信された光、受信された映像信号または受信された音声により制御され、電源制御（オン／オフ）、ボリウム調整、チャネル調整、黙音、外部入力制御、通信ユニット（図示せず）を利用したインターネット検索、文字入力、格納されたコンデンツをアプリケーションを利用して実行する等のような多様な動作を行うことができる。
【００３５】
図１に示すように、前面カバー１２の上端の中間領域に一つのカメラユニット１４５が選択的に突出しているが、これに限定されず、上端の中間領域に複数のカメラユニット（図示せず）が露出して、複数の映像信号を受信しても良い。
【００３６】
カメラユニット１４５の位置は、映像信号の入力に対応して前面カバー１２の前面に基づいて、上端／下端／左側／右側のうち、少なくとも一つから露出できる。
【００３７】
前面カバー１２の上端の中間領域に一つのマイクユニット１４０が露出しているが、これに限定されず、上端の中間領域に複数のマイクユニット（図示せず）が露出して、ステレオ（ｓｔｅｒｅｏ）で音声を受信することができる。マイクユニット１４０の位置は、音声信号の入力に対応して前面カバー１２の前面に基づいて上端／下端／左側／右側のうち、少なくとも一つから露出できる。
【００３８】
前面カバー１２の下端の右側に一つの光窓１２ａが露出しているが、これに限定されずに、複数の光窓（図示せず）が露出することができる。前面カバー１２から露出する光窓１２ａの位置は、光の入／出力に対応して前面カバー１２の前面に基づいて、上端／下端／左側／右側のうち、少なくとも一つから露出できる。また、遠隔制御装置２００とディスプレイ装置１００が通信ユニット１３０（図２参照）を利用してブルートゥースなどのような無線通信により接続される場合、ディスプレイ装置１００において光窓１２ａのような構成が省略されうる。
【００３９】
スタンド５０は、本体１１０を壁面から支持するウォールマウント（ｗａｌｌ  ｍｏｕｎｔ、図示せず）を含むことができる。
【００４０】
図２は、本発明の実施の形態に係るディスプレイ装置を示す概略的なブロック図である。
【００４１】
図２に示すように、ディスプレイ装置１００は、通信ユニット１３０または外部入力ユニット１６０を利用して外部装置（図示せず）と有線または無線で接続されることができる。外部装置は、携帯電話（図示せず）、スマートフォン（図示せず）、タブレットＰＣ（図示せず）、及びサーバ（図示せず）を含むことができる。
【００４２】
ディスプレイ装置１００は、ディスプレイユニット１７０だけでなくチューナーユニット１２０、通信ユニット１３０、及び外部入力ユニット１６０のうちの一つを含むことができる。
【００４３】
ディスプレイ装置１００は、ディスプレイユニット１７０だけでなくチューナーユニット１２０、通信ユニット１３０、及び外部入力ユニット１６０の組み合わせを含むことができる。また、ディスプレイユニット１７０を有するディスプレイ装置１００は、チューナーユニットを有する外部装置（図示せず）と電気的に接続されることができる。例えば、ディスプレイ装置１００は、アナログＴＶ、デジタルＴＶ、３Ｄ−ＴＶ、スマートＴＶ、ＬＥＤ  ＴＶ、ＯＬＥＤ  ＴＶ、プラズマＴＶ、モニターなどにより具現化されることができるが、これに限定されないということは、当該技術分野の通常の知識を有した者にとって容易に理解されるはずである。
【００４４】
ディスプレイ装置１００は、チューナーユニット（Ｔｕｎｅｒ）１２０、通信ユニット１３０、マイクユニット１４０、カメラユニット１４５、光受信ユニット１５０、外部入力ユニット１６０、ディスプレイユニット１７０、オーディオ出力ユニット１７５、格納ユニット及び電源ユニット１９０を備える。ディスプレイ装置１００は、ディスプレイ装置１００の内部または外部状態を検出するセンサ（例えば、照度センサ、温度センサなど、図示せず）を備えることができる。
【００４５】
制御部は、プロセッサ（Ｐｒｏｃｅｓｓｏｒ）１１１、ディスプレイ装置１００の制御のための制御プログラムが格納されたＲＯＭ１１２及びディスプレイ装置１００の外部から入力される信号またはデータを格納するか、またはディスプレイ装置１００で行われる多様な作業に対応する格納領域として使用されるＲＡＭ１１３を備えることができる。
【００４６】
制御部は、ディスプレイ装置１００の全般的な動作及びディスプレイ装置１００の内部構成要素１２０ないし１９０間の信号流れを制御し、データを処理する機能を行う。制御部は、電源ユニット１９０から内部構成要素１２０ないし１８０に供給される電源を制御する。また、ユーザの入力があるか、または予め設定されて格納された条件を満たす場合、制御部は、格納ユニットに格納されたＯＳ（Ｏｐｅｒａｔｉｏｎ  Ｓｙｓｔｅｍ）及び多様なアプリケーションを実行できる。
【００４７】
プロセッサ１１１は、画像または映像に対応するグラフィック処理のためのグラフィックプロセッサ（Ｇｒａｐｈｉｃ  Ｐｒｏｃｅｓｓｉｎｇ  Ｕｎｉｔ、図示せず）を備えることができる。プロセッサ１１１は、コア（ｃｏｒｅ、図示せず）とＧＰＵ（図示せず）がＳｏＣ（Ｓｙｓｔｅｍ  Ｏｎ  Ｃｈｉｐ）により具現化されることができる。プロセッサ１１１は、シングルコア、デュアルコア、トリプルコア、クアッドコア及びマルチコアを含むことができる。
【００４８】
プロセッサ１１１は、複数のプロセッサ、例えば、メインプロセッサ（ｍａｉｎ  ｐｒｏｃｅｓｓｏｒ、図示せず）及びスリープモード（ｓｌｅｅｐ  ｍｏｄｅ）で動作するサブプロセッサ（ｓｕｂ  ｐｒｏｃｅｓｓｏｒ、図示せず）を含むことができる。また、プロセッサ１１１、ＲＯＭ１１２及びＲＡＭ１１３は、内部バス（ｂｕｓ）を介して互いに接続されることができる。
【００４９】
本発明の実施の形態において「制御部」という用語は、プロセッサ１１１、ＲＯＭ１１２及びＲＡＭ１１３を含む。
【００５０】
本発明の実施の形態に係る制御部は、ディスプレイ装置の画面で、モーション認識が可能なアクティブ領域を設定し、ディスプレイ装置の全領域モーション認識モード（ｏｖｅｒａｌｌ  ａｒｅａ  ｍｏｔｉｏｎ  ｒｅｃｏｇｎｉｔｉｏｎ  ｍｏｄｅ）を部分領域モーション認識モード（ｐａｒｔｉａｌ  ａｒｅａ  ｍｏｔｉｏｎ  ｒｅｃｏｇｎｉｔｉｏｎ  ｍｏｄｅ）に変更し、アクティブ領域でモーションを認識し、認識されたモーションが前記部分領域モーション認識モードの解除に対応する解除モーションである場合、前記部分領域モーション認識モードを解除するように制御できる。
【００５１】
全領域モーション認識モードとは、カメラユニット１４５を利用してカメラユニット１４５の認識範囲全体から認識されるモーションであって、ディスプレイ装置１００を制御するモードを意味する。部分領域モーション認識モードとは、カメラユニット１４５の認識範囲内で、ユーザ入力により設定されたアクティブ領域に対応して認識されたモーションだけでディスプレイ装置１００を制御するモードを意味する。アクティブ領域は、モーションを認識するために設定される領域を意味する。アクティブ領域とは、部分領域モーション認識モードで、撮影イメージ内でユーザのモーション認識に使用される局部的な領域と定義することができる。
【００５２】
制御部は、前記部分領域モーション認識モードで前記アクティブ領域においてのみモーションを認識するように制御できる。
【００５３】
制御部は、アクティブ領域を多様な方式により設定できる。例えば、制御部は、アクティブ領域を遠隔調整装置、音声認識、モーション認識及びパネルキーのうちの何れか一つを利用して設定するように制御できる。
【００５４】
また、制御部は、アクティブ領域をアクティブ領域設定テンプレートを利用して、アクティブ領域の位置、大きさ及び形状のうち、少なくとも一つを変更して設定するように制御することもできる。
【００５５】
また、制御部は、アクティブ領域設定テンプレートだけでなく、カメラユニットを介して入力されたユーザモーションに対応する面積を有するアクティブ領域を設定することもできる。
【００５６】
制御部は、アクティブ領域の設定のためのカメラユニットを介して入力されるユーザモーションを格納ユニットに予め格納することができる。
【００５７】
制御部は、設定されたアクティブ領域の面積を画面の面積より狭く設定されるように制御できる。
【００５８】
ディスプレイ装置１００に最初電源供給される場合、制御部は、アクティブ領域設定のためのアクティブ領域設定画面を自動的に表示するように制御できる。
【００５９】
制御部は、カメラユニットを利用してカメラユニットの認識範囲及びアクティブ領域のうちの何れか一つを介して入力される解除モーションを設定できる。
【００６０】
制御部は、アクティブ領域の面積を認識された解除モーションの面積より広く設定されるように制御できる。
【００６１】
制御部は、全領域モーション認識モードから部分領域モーション認識モードへの変更を遠隔調整装置、音声認識、モーション認識及びパネルキーのうちの何れか一つを利用して設定するように制御できる。
【００６２】
制御部は、全領域モーション認識モードから部分領域モーション認識モードへの変更に応答して、画面の一側に部分領域モーション認識モードに対応するオブジェクトを表示するように制御できる。
【００６３】
制御部は、全領域モーション認識モードから部分領域モーション認識モードへの変更に応答して、透明度を有するアクティブ領域を区別される画面と共に表示するように制御できる。
【００６４】
制御部は、全領域モーション認識モードから部分領域モーション認識モードへの変更に応答して、画面を介した視覚フィードバック及びオーディオ出力ユニットを介した聴覚フィードバックのうち、少なくとも一つを提供するように制御できる。
【００６５】
制御部は、全領域モーション認識モードにおいてカメラユニットの認識範囲内でモーション認識が可能なように制御できる。
【００６６】
制御部は、認識されたモーションが解除モーションと異なる場合、部分領域モーション認識モードを維持するように制御できる。
【００６７】
制御部は、認識されたモーションが解除モーションと異なる場合、部分領域モーション認識モードの維持に対応するポップアップウィンドウを表示するように制御できる。
【００６８】
制御部は、ディスプレイ装置の全領域モーション認識モードを部分領域モーション認識モードに変更し、部分領域モーション認識モードにおいて予め設定されたアクティブ領域においてのみモーションを認識し、認識されたモーションと格納された前記部分領域モーション認識モードの解除に対応する解除モーションとが同じである場合、部分領域モーション認識モードを全領域モーション認識モードに変更するように制御できる。
【００６９】
制御部は、ユーザ入力に応じて、全領域モーション認識モード及び部分領域モーション認識モードのうちの何れか一つのモードで選択的に動作できる。例えば、制御部は、全領域モーション認識モードにおいて入力される多様なユーザモーションを利用してディスプレイ装置１００を制御できる。全領域モーション認識モードから部分領域モーション認識モードに変更される場合、制御部は、アクティブ領域を除いた残りの領域から入力されるユーザモーションを認識しないか、または認識しても無視できる。制御部は、部分領域モーション認識モードにおいて、ユーザが意図しないモーションにより誤動作が発生するのを防止できる。
【００７０】
部分領域モーション認識モードにおいてユーザは、モーション制御を再度行おうとする場合、アクティブ領域を介して解除モーションを入力できる。解除モーションに応答して部分領域モーション認識モードが解除され、再度全領域モーション認識モードに変更される場合、制御部は、ユーザモーションに応じて再度多様にディスプレイ装置１００を制御できる。本発明の実施の形態において、制御部は、部分領域モーション認識モードは、特定領域（例えば、アクティブ領域）を除いた残りの領域をマスキングするモードにより具現化されたが、これに限定されることは、当該技術分野の通常の知識を有した者にとって容易に理解されるはずである。
【００７１】
本発明の他の実施の形態にかかる部分領域モーション認識モードである場合、制御部は、アクティブ領域内で入力する多様なユーザモーションに応じて多様な制御動作を行うこともできる。こういう場合、制御部は、アクティブ領域以外の残りの領域で認識されるユーザモーションに対しては、特別な制御動作を行わないようになるので、誤動作を防止することができる。
【００７２】
本発明の他の実施の形態に係る部分領域モーション認識モードは、上述した２種類のモードが選択的に使用されることができる。部分領域モーション認識モードは、アクティブ領域で認識される解除モーションにより部分領域認識モードを解除することができ、残りの領域で認識されるモーションに対しては、特別な制御動作を行わない第１部分領域モーション認識モード及びアクティブ領域で認識される第１解除モーションの認識後に多様なモーションにより多様な動作を行うが、残りの領域で認識されるモーションに対しては、特別な動作を行わない第２部分領域認識モードを含むことができる。
【００７３】
制御部は、全体領域モーション認識モードにおいて第１部分領域モーション認識モードまたは第２部分領域モーション認識モードに直に変更することもでき、第１部分領域モーション認識モードから第２部分領域モーション認識モードにまたはその反対に変更することもできる。第１部分領域モーション認識モードにおいてアクティブ領域で解除モーションが入力される場合、制御部は、全体領域モーション認識モードに変更できる。またアクティブ領域で予め設定されたさらに他のモーション（例えば、第１解除モーション）が入力される場合、制御部は、第２部分領域モーション認識モードに変更できる。
【００７４】
本発明の他の実施の形態によれば、制御部は、モーション認識が可能なアクティブ領域を設定し、ディスプレイ装置の全領域モーション認識モードを部分領域モーション認識モードに変更し、アクティブ領域で認識されたモーションが解除モーションである場合、前記部分領域モーション認識モードを維持する第２部分領域モーション認識モードに変更し、第２部分領域モーション認識モードであるアクティブ領域でモーションを認識するように制御し、部分領域モーション認識モードは、認識されたモーションが解除モーションである場合、部分領域モーション認識モードを解除する第１部分領域モーション認識モード及び部分領域モーション認識モードを維持する第２部分領域モーション認識モードを含むことができる。
【００７５】
制御部の構成及び動作は、実施の形態によって多様に具現化されうることは、当該技術分野の通常の知識を有した者にとって容易に理解されるはずである。
【００７６】
チューナーユニット１２０は、有線または無線で受信される放送信号を増幅（ａｍｐｌｉｆｉｃａｔｉｏｎ）、混合（ｍｉｘｉｎｇ）、共振（ｒｅｓｏｎａｎｃｅ）等により、多くの電波成分の中でディスプレイ装置１００で受信しようとするチャネルの周波数だけをチューニング（ｔｕｎｉｎｇ）させて選択できる。放送信号は、映像（ｖｉｄｅｏ）、オーディオ（ａｕｄｉｏ）及びデータ（例えば、ＥＰＧ（Ｅｌｅｃｔｒｏｎｉｃ  Ｐｒｏｇｒａｍ  Ｇｕｉｄｅ））を含む。
【００７７】
チューナーユニット１２０は、ユーザの入力（例えば、遠隔調整装置２００のチャネル番号入力、チャネルのアップダウン（ｕｐ−ｄｏｗｎ）入力及びＥＰＧ画面においてチャネル入力、パネルキー１４のチャネルのアップダウン入力等）に対応するチャネル番号（例えば、ケーブル放送１４番）に対応する周波数帯域で映像、オーディオ及びデータを受信することができる。
【００７８】
チューナーユニット１２０は、地上波放送、ケーブル放送、衛星放送、インターネット放送などのように多様なソースから放送信号を受信することができる。チューナーユニット１２０は、アナログ放送またはデジタル放送などのようなソースから放送信号を受信することもできる。チューナーユニット１２０は、ディスプレイ装置１００と一体型（ａｌｌ−ｉｎ−ｏｎｅ）で具現化されるか、またはディスプレイ装置１００と電気的に接続されるチューナーユニットを有する別の装置（例えば、セットトップボックス（ｓｅｔ−ｔｏｐ  ｂｏｘ、図示せず）、外部入力ユニット１６０、図２参照）に接続されるチューナーユニット（図示せず）等）により具現化されることができる。
【００７９】
通信ユニット１３０は、制御部の制御によりディスプレイ装置１００を外部装置（例えば、サーバ）に接続できる。制御部は、通信ユニット１３０を介して接続した外部装置からアプリケーション（ａｐｐｌｉｃａｔｉｏｎ）をダウンロードするか、またはウェブブラウジングできる。通信ユニット１３０は、ディスプレイ装置１００の性能及び構造に対応して有線イーサネット（Ｅｔｈｅｒｎｅｔ（登録商標））１３１、無線ＬＡＮ１３２及びブルートゥース（ｂｌｕｅｔｏｏｔｈ）１３３のうちの何れか一つを含むことができる。また、通信ユニット１３０は、イーサネット１８１、無線ＬＡＮ１８２及びブルートゥース１８３の組み合わせを含むことができる。
【００８０】
マイクユニット１４０は、ユーザの発話（ｕｔｔｅｒａｎｃｅ）された音声を受信する。マイクユニット１４０は、受信された音声を電気信号に変換して制御部に出力できる。ユーザ音声は、例えば、ディスプレイ装置１００のメニューまたは機能に対応する音声を含むことができる。マイクユニット１４０の認識範囲は、マイクユニット１４０からユーザ位置まで４ｍ以内を推奨し、マイクユニット１４０の認識範囲は、ユーザ音声の大きさと周辺環境（例えば、スピーカー音、周辺騷音）に対応して変わることができる。
【００８１】
マイクユニット１４０は、ディスプレイ装置１００と一体型または分離されることができる。分離されたマイクユニット１４０は、通信ユニット１３０または外部入力ユニット１６０を介してディスプレイ装置１００と電気的に接続されることができる。
【００８２】
カメラユニット１４５は、カメラ認識範囲でジェスチャーを含むユーザのモーションに対応する映像（例えば、連続するフレーム）を受信する。例えば、カメラユニット１４５の認識範囲は、カメラユニット１４５からユーザまで０．５〜５ｍ以内の距離になることができる。ユーザモーションは、例えば、ユーザの顔、表情、手、拳、指のようなユーザの身体の一部分またはユーザの一部分のモーションなどを含むことができる。カメラユニット１４５は、制御部の制御によって受信された映像を電気信号に変換して制御部１１０に出力できる。
【００８３】
制御部は、受信された映像（例えば、ユーザモーション）をモーション認識アルゴリズムを利用して分析して、ユーザモーション認識結果をディスプレイ装置１００の画面に出力できる。制御部は、ユーザモーション認識結果を受信されたユーザモーションの位置に対応する画面の相対的な位置に表示できる。相対的な位置は、カメラユニット１４５に受信されるユーザモーションの位置（例えば、カメラユニット１４５からユーザモーションまでの距離を含む３次元位置または２次元位置）と画面で表示されるユーザモーション認識結果の位置（画面に表示される２次元位置）が異なることを意味する。制御部は、ＴＯＦ（Ｔｉｍｅ  ｏｆ  Ｆｌｉｇｈｔ）センサ技術、構造光（Ｓｔｒｕｃｔｕｒｅ  Ｌｉｇｈｔ）センサ技術またはステレオマッチング（Ｓｔｅｒｅｏ  ｍａｔｃｈｉｎｇ）センサ技術などを利用して、カメラユニット１４５に受信されるユーザモーションまでの距離を測定できる。制御部は、ユーザモーションまでの距離を考慮して、ユーザモーション認識結果を画面に表示できる。
【００８４】
制御部は、出力されたモーション認識結果を利用してディスプレイ装置１００に表示されるメニューを選択するか、モーション認識結果に対応する制御をできる。例えば、チャネル調整、ボリウム調整、指示子移動を含むことができる。
【００８５】
カメラユニット１４５は、レンズ（図示せず）及びイメージセンサ（図示せず）から構成されることができる。カメラユニット１４５は、複数のレンズとイメージプロセシングを利用して光学ズーム（ｏｐｔｉｃａｌ  ｚｏｏｍ）またはデジタルズーム（ｄｉｇｉｔａｌ  ｚｏｏｍ）を支援できる。例えば、５倍光学ズームまたは２０倍デジタルズームを支援できる。カメラユニット１４５の認識範囲は、カメラの角度及び周辺環境条件によって多様に設定されることができる。
【００８６】
カメラユニット１４５が複数である場合、前面カバー１２の第１カメラ１４５と隣接（例えば、第１カメラ１４５との間隔が２ｃｍより大きく、８ｃｍより小さな）する第２カメラ（図示せず）を利用して、３次元停止イメージまたは３次元モーションを受信することができる。
【００８７】
カメラユニット１４５は、ディスプレイ装置１００と一体型だけでなく分離されることができる。分離されたカメラユニット１４５を含む装置（図示せず）は、通信ユニット１３０または外部入力ユニット１６０を介してディスプレイ装置１００と電気的に接続されることができる。
【００８８】
光受信ユニット１５０は、外部の遠隔調整装置２００から受信される光信号を光窓１２ａを介して受信する。例えば、光受信ユニット１５０は、遠隔調整装置２００にあるキー信号を受信することができる（例えば、電源キーの押さえられまたはタッチにより生成される光信号）（例えば、ディスプレイ装置１００の電源オン（ｏｎ）に対応する制御信号）
外部入力ユニット１６０は、制御部の制御によりディスプレイ装置１００の外部から映像（例えば、動画等）、オーディオ（例えば、音声、音楽等）及びデータ（例えば、再生命令）などを受信する。外部入力ユニット１６０は、ＨＤＭＩ（登録商標）入力ポート（Ｈｉｇｈ−Ｄｅｆｉｎｉｔｉｏｎ  Ｍｕｌｔｉｍｅｄｉａ  Ｉｎｔｅｒｆａｃｅ  ｐｏｒｔ）１６１、コンポーネント入力ジャツク（ｊａｃｋ）１６２、ＰＣ入力ポート１６３、及びＵＳＢ入力ジャツク１６４のうちの何れか一つを含むことができる。外部入力ユニット１６０は、ＨＤＭＩ入力ポート１６１、コンポーネント入力ジャツク１６２、ＰＣ入力ポート１６３、及びＵＳＢ入力ジャツク１６４の組み合わせを含むことができる。
【００８９】
ディスプレイユニット１７０は、制御部の制御によりチューナーユニット１２０を介して受信された放送信号に含まれた映像を画面に表示する。ディスプレイユニット１７０は、通信ユニット１３０または外部入力ユニット１６０を介して入力される映像（例えば、動画）を表示できる。ディスプレイユニット１７０は、制御部の制御により格納ユニット１９０に格納された映像を出力できる。また、ディスプレイユニット１７０は、音声認識に対応する音声認識タスクを行うための音声ＵＩ（例えば、音声命令語ガイドを含む）またはモーション認識に対応するモーション認識タスクを行うためのモーションＵＩ（例えば、モーション認識のためのユーザモーションガイドを含む）を表示できる。
【００９０】
本発明の実施の形態にかかるディスプレイユニット１７０は、制御部の制御により部分領域モーション認識モードの解除に対応する視覚フィードバックを出力できる。
【００９１】
オーディオ出力ユニット１７５は、制御部の制御によりチューナーユニット１２０を介して受信された放送信号に含まれたオーディオを出力する。オーディオ出力ユニット１７５は、通信ユニット１３０または外部入力ユニット１６０を介して入力されるオーディオ（例えば、音声、サウンド）を出力できる。また、オーディオ出力ユニット１７５は、制御部の制御により格納ユニット１９０に格納されたオーディオを出力できる。オーディオ出力ユニット１７５は、スピーカー１７６、ヘッドホン出力端子１７７またはＳ／ＰＤＩＦ出力端子１７８のうち、少なくとも一つを含むことができる。オーディオ出力部１７５は、スピーカー１７６、ヘッドホン出力端子１７７及びＳ／ＰＤＩＦ出力端子１７８の組み合わせを含むことができる。
【００９２】
本発明の実施の形態に係るオーディオ出力部１７５は、制御部の制御により部分領域モーション認識モードの解除に対応する聴覚フィードバックを出力できる。
【００９３】
格納ユニット１８０は、制御部の制御によりディスプレイ装置１００を駆動し制御するための多様なデータ、プログラムまたはアプリケーションを格納することができる。格納ユニット１８０は、チューナーユニット１２０、通信ユニット１３０、マイクユニット１４０、カメラユニット１４５、光受信ユニット１５０、外部入力ユニット１６０、ディスプレイユニット１７０、オーディオ出力ユニット１７５及び電源ユニット１９０の駆動に対応する入力／出力される信号またはデータを格納することができる。格納ユニット１８０は、ディスプレイ装置１００及び制御部の制御のための制御プログラム、製造社から最初提供または外部からダウンロードしたアプリケーション、アプリケーションと関連したＧＵＩ（ｇｒａｐｈｉｃａｌ  ｕｓｅｒ  ｉｎｔｅｒｆａｃｅ）、ＧＵＩを提供するためのオブジェクト（例えば、イメージテキスト、アイコン、ボタン等）、ユーザ情報、文書、データベースまたは関連データを格納することができる。
【００９４】
本発明の実施の形態において「格納ユニット」という用語は、格納ユニット１８０、制御部のＲＯＭ１１２、ＲＡＭ１１３またはディスプレイ装置１００に装着されるメモリカード（例えば、ｍｉｃｒｏ  ＳＤカード、ＵＳＢメモリ、図示せず）を含む。また、格納部は、不揮発性メモリ、揮発性メモリ、ハードディスクドライブ（ＨＤＤ）またはソリッドステートドライブ（ＳＳＤ）を含むことができる。
【００９５】
格納ユニットは、図示していない放送受信モジュール、チャネル制御モジュール、ボリウム制御モジュール、通信制御モジュール、音声認識モジュール、モーション認識モジュール、光受信モジュール、ディスプレイ制御モジュール、オーディオ制御モジュール、外部入力制御モジュール、電源制御モジュール、音声データベース（ＤＢ）、またはモーションデータベース（ＤＢ）を含むことができる。格納ユニットの図示していないモジュール及びデータベースは、ディスプレイ装置１００で放送受信の制御機能、チャネル制御機能、ボリウム制御機能、通信制御機能、音声認識機能、モーション認識機能、光受信制御機能、ディスプレイ制御機能、オーディオ制御機能、外部入力制御機能、または電源制御機能を行うためにソフトウェア形態により具現化されることができる。制御部は、格納ユニットに格納されたこれらのソフトウェアを利用して、各々の機能を行うことができる。
【００９６】
格納ユニットは、制御部の制御によりディスプレイ装置１００が全領域モーション認識モードにあるか、または部分領域モーション認識モードにあるかに対する情報を格納することができる。
【００９７】
格納ユニットは、制御部の制御により算出されるユーザモーションまでの距離を格納することができる。
【００９８】
格納ユニットは、制御部の制御によりユーザ入力に応答して設定されるアクティブ領域のアクティブ領域情報を格納することができる。アクティブ領域情報は、例えば、アクティブ領域の各頂点位置、アクティブ領域名称、またはアクティブ領域設定時間などを含むことができる。
【００９９】
格納ユニットは、カメラユニットを介して入力されるユーザモーションに対応する面積を有するアクティブ領域のアクティブ領域情報を格納することができる。
【０１００】
格納ユニットは、ディスプレイ装置の最初電源供給に対応する参照情報を格納することができる。制御部は、参照情報を利用してアクティブ領域設定のためのアクティブ領域設定画面を自動的に表示するように制御できる。
【０１０１】
格納ユニットは、設定されたアクティブ領域の面積を算出できる。また、格納ユニットは、画面の面積を算出できる。
【０１０２】
格納ユニットは、ユーザモーションに対応して設定されたアクティブ領域の面積を格納できる。
【０１０３】
格納ユニットは、アクティブ領域設定のためのユーザモーション、またはユーザモーションの種類を予め格納することができる。
【０１０４】
格納ユニットは、部分領域モーション認識モードの解除に対応する解除モーションに対する情報を格納することができる。例えば、解除モーションは、広まった手のひら、拳を握った手及び連続的な広まった手のひらから拳の握りのうちの何れか一つを含むことができる。格納ユニットは、解除モーションの面積を算出できる。
【０１０５】
格納ユニットは、部分領域モーション認識モードに対応する部分領域モーション認識モード情報を格納することができる。例えば、部分領域モーション認識モード情報は、部分領域モーション認識モード設定有無、部分領域モーション認識モード変更時間などを含むことができる。
【０１０６】
格納ユニットは、第１部分領域モーション認識モードに対応する第１部分領域モーション認識モード情報または第２部分領域モーション認識モードに対応する第２部分領域モーション認識モード情報を格納することができる。格納される第１及び／または第２部分領域モーション認識モード情報は、部分領域モーション認識モード情報（例えば、部分領域モーション認識モード設定有無、部分領域モーション認識モード変更時間等）と同一でありうる。
【０１０７】
格納ユニットは、部分領域モーション認識モードに対応するオブジェクトを格納することができる。例えば、オブジェクトは、イメージ、テキスト、アイコン、またはボタンを含むことができる。
【０１０８】
格納ユニットは、アクティブ領域設定画面の透明度、アクティブ領域設定テンプレートの透明度またはアクティブ領域の透明度を格納することができる。
【０１０９】
格納ユニットは、部分領域モーション認識モードの解除に対応する視覚フィードバック及び聴覚フィードバックのうち、少なくとも一つを格納することができる。例えば、視覚フィードバックは、フラッシュまたは動画を含む。聴覚フィードバックは、出力可能なサウンドを含む。
【０１１０】
格納ユニットは、部分領域モーション認識モードの維持に対応するポップアップを格納することができる。
【０１１１】
電源ユニット１９０は、制御部の制御によりディスプレイ装置１００の内部の構成要素１２０ないし１８０に外部の電源ソースから入力される電源を供給する。また、電源ユニット１９０は、制御部の制御によりディスプレイ装置１００の内部に位置する一つまたは二つ以上のバッテリー（図示せず）に電源を供給できる。電源が供給されるバッテリーは、ディスプレイユニット１７０と後面カバー１３との間に位置できる。また、バッテリーは、ディスプレイ装置１００の前面カバー１２に位置できる。
【０１１２】
図１及び図２のディスプレイ装置１００に示す構成要素（例えば、１１０ないし１９０）は、ディスプレイ装置１００の性能に対応して少なくとも一つの構成要素が追加または削除されることができる。また、構成要素の位置（例えば、１１０ないし１９０）は、ディスプレイ装置１００の性能または構造に対応して変更できるということは、当該技術分野における通常の知識を有した者にとって容易に理解されるはずである。
【０１１３】
図３は、本発明の実施の形態に係るディスプレイ装置のモーション認識方法を示す概略的なフローチャートである。
【０１１４】
図４Ａないし図７Ｇは、本発明の実施の形態に係るディスプレイ装置のモーション認識方法の例を示す図である。
【０１１５】
図３のステップＳ３０１にて、映像を表示する。
【０１１６】
図４Ａに示すように、制御部は、ディスプレイ装置１００の画面を介して映像４１０（例えば、画像を含む）を表示する。
【０１１７】
表示される映像４１０は、チューナーユニット１２０を介して受信された映像、通信ユニット１３０を介して受信される映像、外部入力ユニット１６０を介して受信される映像及び格納ユニット１８０に格納された映像のうち、少なくとも一つを含むことができる。また、映像は、チューナーユニット１２０を介して受信された画像、通信ユニット１３０を介して受信される画像、外部入力ユニット１６０を介して受信される画像、及び格納ユニット１８０に格納された画像のうち、少なくとも一つを含むことができる。
【０１１８】
図３のステップＳ３０２にて、アクティブ領域を設定する。
【０１１９】
制御部は、遠隔調整装置２００、マイクユニット１４０、カメラユニット１４５及びパネルキー１４のうちの何れか一つにより入力されるアクティブ領域設定要請（ｒｅｑｕｅｓｔ）を検出できる。アクティブ領域設定要請は、遠隔調整装置２００のキー（例えば、「アクティブ領域設定キー」、図示せず）、マイクユニット１４０を介して入力される音声（例えば、「アクティブ領域設定」）、カメラユニット１４５を介して入力されるモーション（例えば、アクティブ領域設定に対応するモーションである「拳を握って揺さぶること」）またはパネルキー１４に含まれる一つのキー（例えば、「アクティブ領域設定キー」、図示せず）等により入力されることができる。
【０１２０】
ディスプレイ装置１００は、全領域モーション認識モードと部分領域モーション認識モードで動作できる。例えば、制御部は、カメラユニット１４５を利用してカメラユニット１４５の認識範囲全体から認識されるモーションでディスプレイ装置１００を制御する全領域モーション認識モードで動作できる。また、制御部は、カメラユニット１４５の認識範囲内で、ユーザ入力により設定されたアクティブ領域に対応して認識されたモーションだけでディスプレイ装置１００を制御する部分領域モーション認識モードで動作できる。
【０１２１】
アクティブ領域は、カメラユニット１４５を介して入力されるユーザモーションに対応して画面に表示される相対的な領域を意味する。制御部は、カメラユニット１４５を利用してディスプレイ装置１００から離隔された位置で感知されたユーザモーション（例えば、２次元映像または３次元映像）を画面内の相対的な位置に表示できる。制御部は、カメラユニット１４５を介して入力されるユーザモーションをユーザモーションまでの距離に対応する画面内の相対的な位置に表示できる。
【０１２２】
制御部は、部分領域モーション認識モードでアクティブ領域を除いた残りの領域をマスク（ｍａｓｋ）領域として設定できる。制御部は、部分領域モーション認識モードでカメラユニット１４５の認識範囲のうち、マスク領域から入力されるモーションは認識しなくても良い。また、制御部は、部分領域モーション認識モードでカメラユニット１４５の認識範囲のうち、マスク領域から入力されるモーションを認識するが、アクティブ領域でないのでディスプレイ装置１００を制御することができない。
【０１２３】
制御部は、カメラユニット１４５を利用してカメラユニット１４５の認識範囲のうち、一部領域から入力される決定されたモーション（例えば、解除モーション）だけを認識できる。また、制御部は、カメラユニット１４５を利用してカメラユニット１４５の認識範囲のうち、一部領域においてのみ入力されるモーションを認識できる。また、制御部は、カメラユニット１４５の光学ズームまたはデジタルズームを利用して、カメラユニット１４５の認識範囲のうち、一部領域だけから入力されるモーションを認識できる。カメラユニット１４５の認識範囲のうち、一部領域を除いた残りの領域は、マスク領域として処理されても良い。
【０１２４】
ディスプレイ装置１００に最初電源供給後に最初アクティブ領域を設定する場合、制御部は、全領域モーション認識モードでアクティブ領域を設定できる。
【０１２５】
本発明の実施の形態に係る「ユーザ入力」は、遠隔調整装置２００のキー（図示せず）、マイクユニット１４０を介して受信されるユーザ音声、カメラユニット１４５を介して受信されるユーザモーションまたはパネルキー１４のキー（図示せず）を含む。
【０１２６】
本発明の他の実施の形態に係るディスプレイ装置１００に最初電源が供給される場合、図４Ｂ及び図４Ｃを参照すれば、制御部は、最初のアクティブ領域設定のためのアクティブ領域設定画面４２０を表示できる。
【０１２７】
制御部は、ディスプレイ装置１００に最初電源供給の有無に対応する参照情報（ｒｅｆｅｒｅｎｃｅ  ｉｎｆｏｒｍａｔｉｏｎ）を利用して、最初電源供給有無を確認することができる。例えば、参照情報は、フラグ（ｆｌａｇ）形態でディスプレイ装置１００が生産される時にセット（ｓｅｔ）されることができる。制御部は、フラグから参照情報を確認して、ディスプレイ装置１００に最初電源供給がされることを認識できる。最初電源供給の有無は、上記の参照情報に限定されるものでなく、本発明が属する技術分野における通常の知識を有した者にとって、容易に理解されるはずである。
【０１２８】
図４Ｂに示すように、制御部は、アクティブ領域設定要請に応答してアクティブ領域を設定するためのアクティブ領域設定画面４２０を映像４１０上にオーバーレイ（ｏｖｅｒｌａｙ）されるように表示する。透明度（ｔｒａｎｓｐａｒｅｎｃｙ、例えば０ないし１００％）を有するアクティブ領域設定画面４２０は、映像４１０と共に表示される。透明度のないアクティブ領域設定画面４２０が表示される場合、透明度のないアクティブ領域設定画面４２０だけが表示されることができる。映像４１０は、透明度のないアクティブ領域設定画面４２０により隠されて表示されない。また、決定された時間（例えば、５００ｍｓｅｃ）が経過する場合、アクティブ領域設定画面４２０は表示されずに映像４１０だけが表示されることもできる。
【０１２９】
図４Ｃに示すように、制御部は、表示されるアクティブ領域設定画面４２０の一側にアクティブ領域設定テンプレート４３０を表示する。透明度を有するアクティブ領域設定テンプレート４３０は、オーバーレイされて映像４１０と共に表示される。アクティブ領域設定テンプレート４３０は、映像４１０の４つの側面のうちの何れか一つに位置できる。また、透明度を有するアクティブ領域設定テンプレート４３０はオーバーレイされて、アクティブ領域設定画面４２０と共に表示されることができる。アクティブ領域設定テンプレート４３０は、アクティブ領域設定画面４２０の４つの側面のうちの何れか一つに位置できる。
【０１３０】
アクティブ領域設定テンプレート４３０は、四角形テンプレート４３１、円状テンプレート４３２、または三角形テンプレート４３３または十文字形テンプレート４３４を含むことができる。また、アクティブ領域設定テンプレート４３０は、表示されたテンプレート４３１ないし４３４だけでなく多様なテンプレート（例えば、ハートなど、図示せず）を含むことができるということは、当該技術分野の通常の知識を有した者にとって、容易に理解されるはずである。
【０１３１】
ユーザの入力（例えば、遠隔調整装置２００の方向キー（図示せず）、ユーザ音声（例えば、四角形テンプレート移動）、ユーザモーション（例えば、拳を握って移動）またはパネルキー１４の方向キー（図示せず））により選択された四角形テンプレート４３１が映像４１０上にドラッグアンドドロップされる場合、制御部は、四角形テンプレート４３１を映像４１０内のドラッグアンドドロップされた位置に表示できる。
【０１３２】
図４Ｄに示すように、ユーザの入力により位置、大きさ及び／または形状の変形された一つの四角形テンプレートが表示される。四角形テンプレート４３１は、ユーザの入力によりドラッグアンドドロップによる位置移動、大きさ変形及び／または形状が変形されることができる。制御部は、ユーザの入力により位置、大きさ及び／または形状の変形された四角形テンプレートを表示できる。例えば、変形された四角形テンプレートは、四角形領域４４０、縦バー領域４４１及び横バー領域４４２のうちの何れか一つまたは四角形領域４４０、縦バー領域４４１及び横バー領域４４２の組み合わせを含むことができるが、これに限定されないということは、当該技術分野の通常の知識を有した者にとって容易に理解されるはずである。ユーザの入力により一つまたは複数の四角形領域が表示されることができる。
【０１３３】
カメラユニット１４５を介して受信されるユーザモーション（例えば、四角形テンプレートの位置移動、四角形テンプレートの大きさ変形など）は、カメラユニット１４５の認識範囲に対応して画面の相対的な位置に表示されることができる。制御部は、カメラユニット１４５を介して認識されたモーションを利用して、画面に表示される四角形テンプレート４４０ないし４４２を操作できる。
【０１３４】
制御部は、ユーザの入力により位置、大きさ及び／または形状の変形された四角形領域（例えば、４４０）を画面に表示できる。決定された時間（例えば、１ｓｅｃ）の間にユーザの入力がない場合、制御部は、四角形領域４４０を予備（ｐｒｅｌｉｍｉｎａｒｙ）アクティブ領域４４０ａとして決定できる。
【０１３５】
制御部は、ユーザの入力により位置、大きさ及び／または形状の変形された各々の四角形領域（例えば、４４０ないし４４２）を画面に表示できる。決定された時間（例えば、１ｓｅｃ）の間にユーザの入力がない場合、制御部は、各々の四角形領域（例えば、４４０ないし４４２）の全部を予備アクティブ領域（４４０ａを除いた残りは図示せず）として決定できる。
【０１３６】
図４Ｅに示すように、制御部は、アクティブ領域設定のためのポップアップ（ｐｏｐｕｐ）４５０及び／またはポインタ４５０ａを画面に表示する。ポインタ４５０ａは、基本値（ｄｅｆａｕｌｔ）としてＹＥＳ４５１に位置できる。ユーザの入力によりＹＥＳ４５１が選択される場合、制御部は、予備アクティブ領域４４０ａをアクティブ領域４４３として設定できる。制御部は、アクティブ領域４４３に対応するアクティブ領域情報（例えば、アクティブ領域の各頂点位置、アクティブ領域名称、またはアクティブ領域設定時間等）を格納ユニット１８０に格納することができる。
【０１３７】
例えば、設定されたアクティブ領域は、四角形アクティブ領域４４３である。設定されたアクティブ領域４４３の面積は、ディスプレイ装置１００の画面面積と比較して狭くありうる。
【０１３８】
制御部は、ユーザの入力により表示される複数の予備アクティブ領域（図示せず）に対して複数のアクティブ領域を設定できる。制御部は、複数のアクティブ領域に対応する各々のアクティブ領域情報を格納ユニットに格納することもできる。設定された複数のアクティブ領域の面積の合計は、ディスプレイ装置１００の画面面積と比較して狭くありうる。
【０１３９】
本発明の他の実施の形態に係るアクティブ領域は、ユーザ入力だけでなく制御部の制御によりカメラユニット１４５を利用して自動的に設定されることができる。
【０１４０】
アクティブ領域設定要請が検出される場合、制御部は、決定された設定に応じてカメラユニット１４５を介して入力されるユーザモーションを検出できる。ディスプレイ装置１００に最初電源が供給される場合、制御部は、ユーザ入力がなくてもアクティブ領域設定要請を自動的に決定することもできる。決定された設定は、アクティブ領域の自動設定を意味できる。
【０１４１】
ユーザモーションは、例えば、ユーザの顔、表情、手、拳、指のようなユーザの身体の一部分またはユーザの一部分のモーションなどを含むことができる。アクティブ領域自動設定のためのユーザの身体の一部分（例えば、手）に対応するユーザの身体情報は、格納ユニットに予め格納されることができる。
【０１４２】
アクティブ領域自動設定に応答して、制御部は、カメラユニット１４５を動作し、カメラユニット１４５を利用してユーザモーションを認識し、モーション認識結果を出力し、モーション認識結果を格納ユニットに格納することができる。決定された設定は、格納ユニットに格納されている。決定された設定は、制御部の制御によりディスプレイ装置１００に最初電源供給またはユーザ入力により実行されるように設定されることができる。
【０１４３】
ディスプレイ装置１００において認識可能なユーザモーションは、例えば、ユーザの顔、表情、手、拳、指のようなユーザの身体の一部分またはユーザの一部分のモーションなどを含むことができる。モーション認識結果に応答してディスプレイ装置１００に表示されるユーザモーションは、一つまたは複数でありえ、ユーザが一人である場合だけでなく、複数のユーザモーションが認識されることができる。
【０１４４】
制御部は、認識された少なくとも一つのユーザモーション（図示せず）をアクティブ領域設定画面４２０の上または映像４１０の上に表示できる。
【０１４５】
ディスプレイ装置１００の画面にモーション認識されて表示される少なくとも一つのユーザモーション（図示せず）のうちの何れか一つのユーザモーションが、ユーザ入力によりアクティブ領域設定に対応して選択されることができる。表示される少なくとも一つのユーザモーション（図示せず）のうち、複数のユーザモーションがユーザ入力によりアクティブ領域設定に対応して選択されることができる。
【０１４６】
制御部は、決定されたユーザモーション（図示せず）の面積を算出できる。算出されたユーザモーションの面積に応じて制御部は、ユーザモーションに対応するアクティブ領域（図示せず）の面積を算出できる。制御部は、算出されるアクティブ領域の面積を算出されたユーザモーションの面積に対して１１０ないし４００％に設定できる。算出されるアクティブ領域の面積は、算出されたユーザモーションの面積より広ければ十分であるが、モーション認識の認識効率を考慮して決定されうることは、当該技術分野の通常の知識を有した者にとって容易に理解されるはずである。
【０１４７】
本発明の他の実施の形態に係る複数のユーザモーションに対応する複数のアクティブ領域の面積の合計は、ディスプレイ装置１００の画面面積より狭くありうる。
【０１４８】
制御部は、設定されたアクティブ領域（図示せず）の大きさ及び／または形状をユーザ入力により変形することもできる。
【０１４９】
図３のステップＳ３０２にて、アクティブ領域設定が完了する場合、図３のステップＳ３０３に進む。
【０１５０】
図３のステップＳ３０３にて、解除モーションを設定する。
【０１５１】
アクティブ領域設定が完了する場合、制御部は、カメラユニット１４５を利用して入力されるユーザモーションをディスプレイ装置１００の部分領域モーション認識モードの解除に対応する解除モーションを設定する。ディスプレイ装置１００の全領域モーション認識モードでカメラユニット１４５の認識範囲は、カメラユニット１４５からユーザ位置まで１．５〜４ｍ以内距離を推奨し、カメラユニット１４５の認識範囲は、カメラの角度及び周辺環境条件に対応して変わることができる。
【０１５２】
ディスプレイ装置１００は、カメラユニット１４５の認識範囲で認識されたユーザモーションでディスプレイ装置１００を制御可能な全領域モーション認識モードとカメラユニット１４５の認識範囲のうち、設定されたアクティブ領域においてのみ認識されたユーザモーションでディスプレイ装置１００を制御可能な部分領域モーション認識モードを含むことができる。
【０１５３】
図５Ａ乃至図５Ｃに示すように、制御部は、カメラユニット１４５を介して入力されるユーザモーションをアクティブ領域４４３から検出できる。制御部は、入力されたユーザモーションを分析して、アクティブ領域４４３のみから検出される解除モーションとして設定できる。例えば、設定された解除モーションは、広まった手のひら５１０、拳を握った手５１１及び連続的な広まった手のひらから拳の握り５１２のうちの何れか一つを含むことができる。また、設定された解除モーションは、一つだけでなく複数でありうる。例えば、各々のユーザに対応する解除モーションを各々設定することもできる。
【０１５４】
カメラユニット１４５から延びる二つの線（ｌｉｎｅ）は、カメラユニット１４５の認識範囲を２次元に示したものであり、カメラユニット１４５の認識範囲を限定しようとする意図ではない。
【０１５５】
本発明の他の実施の形態に係る制御部は、解除モーションの検出を図３のステップＳ３０２にて設定されたアクティブ領域４４３だけでなく、カメラユニット１４５の認識範囲でも可能である。カメラユニット１４５が認識範囲での解除モーション検出は、アクティブ領域４３３での解除モーション検出と実質的に同一なので、重複する説明は省略される。
【０１５６】
アクティブ領域４４３で表示される解除モーション５１０ないし５１２は、アクティブ領域４３３に対応するディスプレイ装置１００から離隔した相対的な位置でユーザモーションが入力されることを意味できる。
【０１５７】
アクティブ領域４４３でカメラユニット１４５を介して入力されるユーザモーションの一部が表示される場合、ユーザは、アクティブ領域４４３にユーザモーションを入力するための一つのガイドとして活用できる。
【０１５８】
制御部は、設定された解除モーション５１０ないし５１２に対応する解除モーションの面積を算出できる。制御部は、解除モーションの外郭線（ｏｕｔｌｉｎｅ、図示せず）を利用して、解除モーションの面積を算出できる。解除モーションの外郭線は、閉曲線（ｃｌｏｓｅ  ｃｕｒｖｅ）または開曲線（ｏｐｅｎ  ｃｕｒｖｅ）を含むことができる。また、外郭線は、曲線でなく直線であっても良い。例えば、解除モーション５１０ないし５１２の面積は、顔面積、広まった手のひら面積、拳を握った手面積または広まった手のひらから連続の拳を握った手面積を含むことができる。外郭線を利用して面積を求めることは、当該技術分野の通常の知識を有した者にとって容易に理解されるはずである。
【０１５９】
図５Ｄに示すように、制御部は、算出された解除モーションの面積を利用してアクティブ領域４４３の有効性を判断できる。設定されたアクティブ領域４４３の面積が解除モーション（例えば、５１０）の面積より広い場合、制御部は、ユーザの解除モーション設定のためのポップアップ５２０及び／またはポインタ５２０ａを画面に表示する。
【０１６０】
ポップアップ５２０内には、ＹＥＳ５２１またはＮＯのようなメニューが表示されることができる。ポインタ５２０ａは、基本値（ｄｅｆａｕｌｔ）としてＹＥＳ５２１に位置できる。ユーザの入力によりＹＥＳ５２１が選択される場合、制御部は、予備解除モーション（例えば、５１０）を解除モーション５１３として設定できる。制御部は、解除モーション５１３に対応する解除モーション情報（例えば、解除モーションの形状、大きさ、面積、名称、または解除モーション設定時間等）を格納ユニットに格納することができる。
【０１６１】
アクティブ領域４４３の面積が解除モーション（例えば、５１０）の面積より狭い場合、制御部は、解除モーション設定エラーに対応するポップアップ（図示せず）を画面に表示できる。ユーザは、解除モーション設定エラーに応答して解除モーションを再設定することもできる。
【０１６２】
解除モーションの設定ステップＳ３０３は、アクティブ領域の設定ステップＳ３０２より優先して行われることもできる。例えば、解除モーションがまず設定される場合、制御部は、カメラユニット１４５の認識範囲で入力されるユーザモーションを利用して、アクティブ領域を設定できる。
【０１６３】
図３のステップＳ３０３にて、解除モーションの設定が完了する場合、図３のステップＳ３０４に進む。
【０１６４】
図３のステップＳ３０４にて、全領域モーション認識モードを部分領域モーション認識モードに変更する。
【０１６５】
図６Ａに示すように、部分領域モーション認識モードの変更のためのユーザの入力が受信される場合、制御部は、モーション認識ロックモード変更のためのポップアップ６１０及び／またはポインタ６１０ａを画面に表示する。ポインタ６１０ａは、基本値（ｄｅｆａｕｌｔ）としてＹＥＳ６１１に位置できる。ユーザ入力によりＹＥＳ６１１が選択される場合、制御部は、ディスプレイ装置１００の全領域モーション認識モードを部分領域モーション認識モードに変更できる。制御部は、モーション認識ロックモードに対応する部分領域モーション認識モード情報（例えば、部分領域モーション認識モード設定有無、部分領域モーション認識モード変更時間等）を格納ユニットに格納することができる。
【０１６６】
図６Ｂに示すように、制御部は、画面の一側に表示されるチャネル情報６２０に変更された部分領域モーション認識モードに対応するオブジェクト６２１を表示する。表示されるオブジェクト６２１は、例えば、イメージ、テキスト、アイコン、またはボタンを含むことができる。チャネル情報６２０の画面は、映像の放送局名、地上波であるかケーブルであるか、チャネル番号、選好チャネルなどを含むことができる。制御部は、チャネル情報６２０を決定された時間（例えば、１ｓｅｃ）の間に画面に表示できる。制御部は、オブジェクト６２１をチャネル情報６２０でない他の領域に表示でき、決定された時間（例えば、１ｓｅｃ）の間に表示できる。
【０１６７】
図３のステップＳ３０４にて、部分領域モーション認識モードに変更される場合、図３のステップＳ３０５に進む。
【０１６８】
図３のステップＳ３０５にて、アクティブ領域で解除モーションを認識する。
【０１６９】
図７Ａに示すように、ディスプレイ装置１００は、現在部分領域モーション認識モードである。制御部は、ディスプレイ装置１００の部分領域モーション認識モード変更に対応して、画面に透明度を有するアクティブ領域４３３を共に表示できる。表示されるアクティブ領域４４３の透明度は、映像とアクティブ領域４４３とを区分できれば十分である。
【０１７０】
図７Ｂに示すように、制御部は、カメラユニット１４５を介して入力されるユーザモーション５１０のディスプレイ装置１００の画面内の相手位置を決定できる。制御部は、カメラユニット１４５を介して入力されるユーザモーション５１０がアクティブ領域４３３で認識可能であるかどうかを決定できる。制御部は、アクティブ領域内でユーザモーション５１０の相対的な位置を表示できる。また、制御部は、認識されたユーザモーション５１０の相対的な位置をアクティブ領域と共に表示できる。制御部は、モーション認識結果に応答してアクティブ領域４３３で認識されたユーザモーション５１０の一部または全てを表示できる。
【０１７１】
図３のステップＳ３０６にて、認識されたモーションが解除モーションと同一であるかどうかを決定する。
【０１７２】
制御部は、格納ユニットに格納された解除モーション情報とアクティブ領域４４３で認識されたモーションとを比較できる。制御部は、解除モーション情報と認識されたモーションの比較結果に対応して認識されたモーションと解除モーションが同一であるかどうかを決定できる。
【０１７３】
図３のステップＳ３０６にて、認識されたモーションと解除モーションとが同じである場合、図３のステップＳ３０７に進む。
【０１７４】
図３のステップＳ３０７にて、部分領域モーション認識モードを解除する。
【０１７５】
図７Ｃに示すように、認識されたモーションと解除モーションとが同じである場合、制御部は、画面に部分領域モーション認識モードの解除のためのポップアップ７１０及び／またはポインタ７１０ａを表示する。ポインタ７１０ａは、基本値（ｄｅｆａｕｌｔ）としてＹＥＳ７１１に位置できる。ユーザの入力によりＹＥＳ７１１が選択される場合、制御部は、ディスプレイ装置１００の部分領域モーション認識モードを解除できる。また、ポップアップ７１０及び／またはポインタ７１０ａの表示が表示され、決定された時間（例えば、５００ｍｓｅｃ）の間にユーザ入力が受信されない場合、制御部は、ディスプレイ装置１００の部分領域モーション認識モードを解除することもできる。
【０１７６】
本発明の他の実施の形態に係る部分領域モーション認識モードの解除は、ポップアップ７１０及び／またはポインタ７１０ａの表示無しで行われることができる。例えば、認識されたモーションと解除モーションとが同じである場合、制御部は、部分領域モーション認識モード解除に対応するお知らせ（例えば、ポップアップ７１０及び／またはポインタ７１０ａ）を表示しなくて、部分領域モーション認識モードを解除することもできる。制御部は、自動的に部分領域モーション認識モードを解除することもできる。
【０１７７】
図３のステップＳ３０８にて、部分領域モーション認識モードを全領域モーション認識モードに変更する。
【０１７８】
図７Ｄに示すように、制御部は、ディスプレイ装置１００の部分領域モーション認識モードを全領域モーション認識モードに変更する。制御部は、全領域モーション認識モード変更に対応する視覚フィードバックをユーザに提供できる。視覚フィードバックは、アクティブ領域４３３を画面大きさまで等速（ｃｏｎｓｔａｎｔ  ｖｅｌｏｃｉｔｙ）で漸進的な拡大（４３３→４３３ａ→ｌ４３３ｂ→４４３ｃ）する形態で表現されることができる。また、制御部は、アクティブ領域４３３外の画面で別のフラッシュまたは動画のような全領域モーション認識モード変更に対応する視覚フィードバックを提供できる。
【０１７９】
制御部は、全領域モーション認識モード変更に対応する聴覚フィードバック（例えば、サウンド出力）をオーディオ出力ユニット１７５を介して出力できる。制御部は、全領域モーション認識モード変更に対応する視覚フィードバック及び聴覚フィードバックのうちの何れか一つをユーザに提供するか、または視覚フィードバック及び聴覚フィードバックの組み合わせをユーザに提供できる。
【０１８０】
制御部は、別のフィードバック無しで部分領域モーション認識モードを全領域モーション認識モードに変更できる。
【０１８１】
図７Ｅに示すように、全領域モーション認識モードに変更されたディスプレイ装置１００を示す。制御部は、画面大きさに拡大されたアクティブ領域４４３ｃを表示できる。全領域モーション認識モードに変更されたディスプレイ装置１００は、カメラユニット１４５の認識範囲で入力されるユーザのモーションを認識できる。全領域モーション認識モードにおいて、制御部は、カメラユニット１４５を介して入力されるユーザモーションに応答して、ディスプレイ装置１００を制御（例えば、チャネル調整等）できる。
【０１８２】
本発明の他の実施の形態に係る制御部は、認識されたモーションが第１解除モーションと同じである場合、部分領域モーション認識モード（例えば、第２部分領域モーション認識モード）を維持できる。制御部は、部分領域モーション認識モードは、第１部分領域モーション認識モード及び第２部分領域モーション認識モードを含むことができる。認識されたモーションが解除モーション５１０と同じである場合、第１部分領域モーション認識モードは、部分領域モーション認識モードが全領域モーション認識モードに変更される部分領域モーション認識モードを意味する。認識されたモーションが第１解除モーション（図示せず、例えば、指でするＶサイン（Ｖｓｉｇｎ））と同じである場合、第２部分領域モーション認識モードは、部分領域モーション認識モードを維持する部分領域モーション認識モードを意味する。解除モーションと第１解除モーションとは異なることができる。
【０１８３】
制御部は、ユーザ入力により部分領域モーション認識モードを第１部分領域モーション認識モード及び第２部分領域モーション認識モードのうちの何れか一つに設定（例えば、基本値は、第１部分領域モーション認識モード）できる。認識されたモーションが解除モーション及び第１解除モーションと同じである場合、制御部は、第１部分領域モーション認識モード及び第２部分領域モーション認識モードのうちの何れか一つの選択に対応するポップアップ（図示せず）及び／または指示子（図示せず）を表示できる。認識されたモーションが解除モーションと同じである場合、ポップアップ（図示せず）は、「解除モーションが認識されました。第１部分領域モーション認識に変更？」を表示できる。または認識されたモーションが第１解除モーションと同じである場合、ポップアップ（図示せず）は、「第１解除モーションが認識されました。第２部分領域モーション認識に変更？」を表示できる。第２部分領域モーション認識モードが選択される場合、制御部は、第２部分領域モーション認識モードに対応して部分領域モーション認識モードを維持できる。
【０１８４】
また、第１部分領域モーション認識モードが選択される場合、制御部は、第１部分領域モーション認識モードに対応して、部分領域モーション認識モードを解除できる。
【０１８５】
制御部は、第２部分領域モーション認識モードに対応する視覚フィードバックをユーザに提供できる。視覚フィードバックは、画面大きさからアクティブ領域４３３まで等速（ｃｏｎｓｔａｎｔ  ｖｅｌｏｃｉｔｙ）で漸進的な縮小（４３３ｃ→４３３ｂ→４３３ａ→４４３）される形態で表現されることができる。また、制御部は、アクティブ領域４３３外の画面で別途のフラッシュまたは動画のような全領域モーション認識モード変更に対応する視覚フィードバックを提供できる。
【０１８６】
制御部は、第２部分領域モーション認識モードに対応する聴覚フィードバック（例えば、サウンド出力）をオーディオ出力ユニット１７５を介して出力できる。制御部は、全領域モーション認識モード変更に対応する視覚フィードバック及び聴覚フィードバックのうちの何れか一つをユーザに提供するか、または視覚フィードバック及び聴覚フィードバックの組み合わせをユーザに提供できる。
【０１８７】
制御部は、別のフィードバック無しで第２部分領域モーション認識モードに対応して、部分領域モーション認識モードを維持することもできる。
【０１８８】
第２部分領域モーション認識モードにおいて、制御部は、アクティブ領域４３３でユーザのモーションを認識できる。第２部分領域モーション認識モードにおいて、制御部は、カメラユニット１４５を利用してアクティブ領域４３３で認識されるユーザモーションを認識に対応してディスプレイ装置１００を制御（例えば、ボリウム調整等）できる。
【０１８９】
また、第２部分領域モーション認識モードで、アクティブ領域で解除モーション５１０が入力される場合、制御部は、第２部分領域モーション認識モードを全体領域モーション認識モードに変更することもできる。
【０１９０】
図３のステップＳ３０８にて、部分領域モーション認識モードが全領域モーション認識モードに変更される場合、ディスプレイ装置のモーション認識方法が終了する。
【０１９１】
図３のステップＳ３０６に戻って、認識されたモーションが解除モーションと異なる場合、図３のステップＳ３０９に進む。
【０１９２】
図３のステップＳ３０９にて、部分領域モーション認識モードを維持する。
【０１９３】
図７Ｆに示すように、格納ユニットに格納された解除モーション情報とアクティブ領域４４３で認識されたモーションが異なる場合（例えば、認識されたユーザモーション５１１と解除モーション５１０に対応する解除モーション情報が異なる）、制御部は、画面に部分領域モーション認識モード維持のためのポップアップ７２０及び／またはポインタ７２０ａを表示する。ポインタ７２０ａは、基本値（ｄｅｆａｕｌｔ）としてＹＥＳ７２１に位置できる。ユーザの入力によりＹＥＳ７１１が選択される場合、制御部は、アクティブ領域４３３でユーザモーションをさらに認識できる。
【０１９４】
図７Ｇに示すように、格納ユニットに格納された解除モーション情報とアクティブ領域４４３で認識されたモーションとが異なる場合（例えば、認識されたユーザモーション５１０ａの一部と解除モーション５１０とが異なる）、制御部は、画面に部分領域モーション認識モード維持のためのポップアップ７３０及び／またはポインタ７３０ａを表示する。表示されるポップアップ７３０は、アクティブ領域４４３でユーザモーションを入力するための一つのガイドとして活用できる。
【０１９５】
制御部は、認識されたユーザモーションの一部５１０ａに対応してアクティブ領域４３３の位置を移動するか、またはアクティブ領域４３３の面積を拡大できる。アクティブ領域４３３の拡大は、入力された一部モーション５１０ａの面積に対応して決定されることができる。例えば、ユーザモーションの一部モーション５１０ａの面積が解除モーション５１０の５０％である場合、制御部は、一部モーション５１０ａの残りがある方向にアクティブ領域４３３を移動できる。また、ユーザモーションの一部５１０ａ面積が解除モーション５１０の５０％である場合、制御部は、アクティブ領域４３３の面積を３００％拡大することもできる。ポインタ７２０ａは、基本値（ｄｅｆａｕｌｔ）としてＹＥＳ７３１に位置できる。ユーザの入力によりＹＥＳ７３１が選択される場合、制御部は、アクティブ領域４３３でユーザモーションをさらに認識できる。
【０１９６】
図３のステップＳ３０９にて、部分領域モーション認識モードが維持される場合、ディスプレイ装置のモーション認識方法が終了する。
【０１９７】
本発明の例示的実施の形態に係る方法は、多様なコンピュータ手段により行われることのできるプログラム命令形態により具現化されて、コンピュータ読み取り可能媒体に記録されることができる。前記コンピュータ読み取り可能媒体は、プログラム命令、データファイル、データ構造などを単独または組み合わせて含むことができる。例えば、前記コンピュータ読み取り可能媒体は、削除可能または再起録可能有無と関係なく、ＲＯＭなどの格納装置のような揮発性または不揮発性格納装置、または例えば、ＲＡＭ、メモリチップ、装置または集積回路のようなメモリ、または例えばＣＤ、ＤＶＤ、磁気ディスクまたは磁気テープなどのような光学または磁気的に記録可能であると同時に、機械（例えば、コンピュータ）で読むことができる格納媒体に格納されることができる。移動端末内に含まれることができるメモリは、本発明の実施の形態を具現する指示を含むプログラムまたはプログラムを格納するのに適した機械で読むことができる格納媒体の一例であることを理解できるはずである。前記媒体に記録されるプログラム命令は、本発明のために特に設計され構成されたものであるか、コンピュータソフトウェア当業者に公知されて使用可能なものでありうる。
【０１９８】
以上、本発明は、限定された実施の形態と図面により説明されたが、本発明は、上記の例示的な実施の形態に限定されるものではなく、本発明が属する分野における通常の知識を有した者であればこのような記載から多様な修正及び変形が可能である。
【０１９９】
したがって、本発明の範囲は、説明された例示的な実施の形態に限定されてはならず、後述する特許請求の範囲だけでなく、この特許請求の範囲と均等なものによって定められねばならない。
【図１】
2016540322.tif 000003
【図２】
2016540322.tif 000004
【図３】
2016540322.tif 000005
【図４Ａ】
2016540322.tif 000006
【図４Ｂ】
2016540322.tif 000007
【図４Ｃ】
2016540322.tif 000008
【図４Ｄ】
2016540322.tif 000009
【図４Ｅ】
2016540322.tif 000010
【図５Ａ】
2016540322.tif 000011
【図５Ｂ】
2016540322.tif 000012
【図５Ｃ】
2016540322.tif 000013
【図５Ｄ】
2016540322.tif 000014
【図６Ａ】
2016540322.tif 000015
【図６Ｂ】
2016540322.tif 000016
【図７Ａ】
2016540322.tif 000017
【図７Ｂ】
2016540322.tif 000018
【図７Ｃ】
2016540322.tif 000019
【図７Ｄ】
2016540322.tif 000020
【図７Ｅ】
2016540322.tif 000021
【図７Ｆ】
2016540322.tif 000022
【図７Ｇ】
2016540322.tif 000023
【国際調査報告】
2016540322.tif 000024
2016540322.tif 000025